(57)【要約】【課題】効率的に製品寿命を延ばすことのできるプロジェクタ装置を提供する。【解決手段】互いに異なる色成分の光を出力するレーザ光源１０３〜１０５と、レーザ光源１０３〜１０５がそれぞれ出力する光の光量を制御する制御部と、レーザ光源１０３〜１０５がそれぞれ出力する光をコンバイナ６０に導くことにより、コンバイナ６０に画像を投影する表示制御部１１０と、レーザ光源１０３〜１０５のうち、残り寿命が最短のレーザ光源である最短寿命光源部を予測する予測部とを備え、制御部は、最短寿命光源部が出力する光の光量を、予め定められた通常状態の光量よりも少なくなるように制御する。【選択図】図３
2014197087.tif 000002
【特許請求の範囲】
【請求項１】
互いに異なる色成分の光を出力する複数の光源部と、
前記複数の光源部がそれぞれ出力する光の光量を制御する制御部と、
前記複数の光源部がそれぞれ出力する光を投影面に導くことにより、前記投影面に画像を投影する投影部と、
前記複数の光源部のうち、残り寿命が最短の光源部である最短寿命光源部を予測する予測部とを備え、
前記制御部は、前記最短寿命光源部が出力する光の光量を、予め定められた通常状態の光量よりも少なくなるように制御する
プロジェクタ装置。
【請求項２】
前記制御部は、前記最短寿命光源部が出力する光の光量が０になるように、前記最短寿命光源部が出力する光の光量を制御する
請求項１に記載のプロジェクタ装置。
【請求項３】
前記制御部は、前記投影部が前記プロジェクタ装置の設定のための画像である設定画像を前記投影面に投影する間、前記最短寿命光源部が出力する光の光量を、他の光源部が出力する光の光量よりも少なくなるように制御する
請求項１又は２に記載のプロジェクタ装置。
【請求項４】
さらに、
各々が前記最短寿命光源部の光量が他の光源の光量よりも少なくなる複数の色調をユーザに提示し、いずれかの色調をユーザに選択させる色調提示部と、
ユーザが選択した色調を記憶している記憶部を備え、
前記制御部は、前記投影部が前記設定画像を前記投影面に投影する間、前記記憶部に記憶されている色調になるように、前記複数の光源部がそれぞれ出力する光の光量を制御する
請求項３に記載のプロジェクタ装置。
【請求項５】
さらに、
前記投影面に投影されるコンテンツ画像の色調の変更を許可するためのユーザの操作入力を受け付ける操作部を備え、
前記制御部は、前記操作部が前記コンテンツ画像の色調の変更を許可する操作入力を受け付けた場合に、前記投影部が前記コンテンツ画像を前記投影面に投影している間、前記最短寿命光源部が出力する光の光量を、本来の前記コンテンツ画像の色調が示す光量よりも少なくなるように制御する
請求項１〜４のいずれか１項に記載のプロジェクタ装置。
【請求項６】
前記プロジェクタ装置は自動車に設置され、
前記制御部は、前記自動車が停止しており、かつ前記投影部が前記自動車の運転支援に関する画像であるコンテンツ画像を投影している間、前記最短寿命光源部が出力する光の光量を、本来の前記コンテンツ画像の色調が示す光量よりも少なくなるように制御する
請求項１〜４のいずれか１項に記載のプロジェクタ装置。
【請求項７】
前記予測部は、さらに、前記複数の光源部のうち、残り寿命が最長の光源部である最長寿命光源部を予測し、
前記制御部は、前記投影部が前記設定画像を前記投影面に投影する間、前記最長寿命光源部が出力する光の光量を、前記予め定められた通常状態の光量よりも多くなるように制御する
請求項３又は４に記載のプロジェクタ装置。
【請求項８】
請求項１〜７のいずれか１項に記載のプロジェクタ装置と、
前記画像が投影される透明表示板とを備える
ヘッドアップディスプレイ装置。
【請求項９】
互いに異なる色成分の光を出力する複数の光源部のうち、残り寿命が最短の光源部である最短寿命光源部を予測するステップと、
前記最短寿命光源部が出力する光の光量を、予め定められた通常状態の光量よりも少なくなるように制御するステップと
を備えるプロジェクタ装置の制御方法。
【発明の詳細な説明】
【技術分野】
【０００１】
本発明は、プロジェクタ装置に関し、特に、ヘッドアップディスプレイ装置などに用いられるプロジェクタ装置に関する。
【背景技術】
【０００２】
プロジェクタ装置は、例えば、赤色成分（Ｒ）の光を出力するレーザ光源、緑色成分（Ｇ）の光を出力するレーザ光源、及び青色成分（Ｂ）の光を出力するレーザ光源を備えており、これらのレーザ光源からそれぞれ出力する光を投影面に導くことにより、カラー画像を投影面に投影している。このため、いずれかのレーザ光源が使用不能になった場合には、所望のカラー画像を投影面に投影することができず、プロジェクタ装置の製品寿命が尽きたと判断される。プロジェクタ装置の製品寿命が尽きた場合には、複数のレーザ光源を含むユニットを一度に交換しなければならない。つまり、製品寿命が最短のレーザ光源がボトルネックとなり、プロジェクタ装置の製品寿命が決定される。
【０００３】
従来、レーザ光源の劣化が激しくレーザ光源が使用不能である場合や、レーザ光源の発光効率が低下している場合に、そのレーザ光源を停止したり、出力パワーを減少させたりして色調を変化させることにより、画像の表示を継続するプロジェクタ装置が提案されている（例えば、特許文献１参照）。
【先行技術文献】
【特許文献】
【０００４】
【特許文献１】国際公開第２０１２／１０４９６７号
【発明の概要】
【発明が解決しようとする課題】
【０００５】
しかしながら、従来のプロジェクタ装置によると、レーザ光源が使用不能となってから、又は、レーザ光源の発光効率が低下してから色調の変化が開始する。このため、色調を変化させたとしても、既にプロジェクタ装置の製品寿命が尽きている、又は製品寿命が尽きるまでの時間、つまり残り寿命が短いため、プロジェクタ装置の製品寿命を延ばすことができないという課題がある。
【０００６】
本発明は、上述の課題を解決するためになされたものであり、効率的に製品寿命を延ばすことのできるプロジェクタ装置を提供することを目的とする。
【課題を解決するための手段】
【０００７】
上記目的を達成するために、本発明の一態様に係るプロジェクタ装置は、互いに異なる色成分の光を出力する複数の光源部と、前記複数の光源部がそれぞれ出力する光の光量を制御する制御部と、前記複数の光源部がそれぞれ出力する光を投影面に導くことにより、前記投影面に画像を投影する投影部と、前記複数の光源部のうち、残り寿命が最短の光源部である最短寿命光源部を予測する予測部とを備え、前記制御部は、前記最短寿命光源部が出力する光の光量を、予め定められた通常状態の光量よりも少なくなるように制御する。
【０００８】
光源部の寿命は、光源部が使用不能となる以前、又は光源部の発光効率が低下する以前であっても予測することができる。この構成によると、早い段階から、最短寿命光源部が出力する光の光量を制限することができる。よって、プロジェクタ装置の製品寿命を効率的に延ばすことができる。
【０００９】
例えば、前記制御部は、前記最短寿命光源部が出力する光の光量が０になるように、前記最短寿命光源部が出力する光の光量を制御しても良い。
【００１０】
また、前記制御部は、前記投影部が前記プロジェクタ装置の設定のための画像である設定画像を前記投影面に投影する間、前記最短寿命光源部が出力する光の光量を、他の光源部が出力する光の光量よりも少なくなるように制御しても良い。
【００１１】
設定画像は多少見づらくてもユーザは困らない。このため、設定画像の投影時に、最短寿命光源部が出力する光の光量を制限することで、コンテンツ画像の投影時には、最短寿命光源部が出力する光の光量を制限しないようにすることができる。よって、ユーザによるコンテンツ画像の視認性を低下させることなく、プロジェクタ装置の製品寿命を効率的に延ばすことができる。
【００１２】
また、上述のプロジェクタ装置は、さらに、各々が前記最短寿命光源部の光量が他の光源の光量よりも少なくなる複数の色調をユーザに提示し、いずれかの色調をユーザに選択させる色調提示部と、ユーザが選択した色調を記憶している記憶部を備え、前記制御部は、前記投影部が前記設定画像を前記投影面に投影する間、前記記憶部に記憶されている色調になるように、前記複数の光源部がそれぞれ出力する光の光量を制御しても良い。
【００１３】
これによると、最短寿命光源部の光量を少なくしながら、ユーザが見易いと感じる色調で設定画像を投影面に投影することができる。
【００１４】
また、上述のプロジェクタ装置は、さらに、前記投影面に投影されるコンテンツ画像の色調の変更を許可するためのユーザの操作入力を受け付ける操作部を備え、前記制御部は、前記操作部が前記コンテンツ画像の色調の変更を許可する操作入力を受け付けた場合に、前記投影部が前記コンテンツ画像を前記投影面に投影している間、前記最短寿命光源部が出力する光の光量を、本来の前記コンテンツ画像の色調が示す光量よりも少なくなるように制御しても良い。
【００１５】
これによると、ユーザが色調の変更を許可した場合であれば、コンテンツ画像の投影時であっても最短寿命光源部が出力する光の光量を制限することができる。このため、プロジェクタ装置の製品寿命を効率的に延ばすことができる。
【００１６】
また、前記プロジェクタ装置は自動車に設置され、前記制御部は、前記自動車が停止しており、かつ前記投影部が前記自動車の運転支援に関する画像であるコンテンツ画像を投影している間、前記最短寿命光源部が出力する光の光量を、本来の前記コンテンツ画像の色調が示す光量よりも少なくなるように制御しても良い。
【００１７】
自動車の走行時には、ユーザは運転に集中しているため、コンテンツ画像を見易くする必要がある。しかし、自動車の停止時には、ユーザに精神的な余裕があるため、当該画像は多少見づらくても問題はない。このため、自動車の停止時に最短寿命光源部が出力する光の光量を制限することにより、自動車の走行時の安全性を確保しながら、プロジェクタ装置の製品寿命を効率的に延ばすことができる。
【００１８】
また、前記予測部は、さらに、前記複数の光源部のうち、残り寿命が最長の光源部である最長寿命光源部を予測し、前記制御部は、前記投影部が前記設定画像を前記投影面に投影する間、前記最長寿命光源部が出力する光の光量を、前記予め定められた通常状態の光量よりも多くなるように制御しても良い。
【００１９】
これによると、最長寿命光源部が優先的に使用される。プロジェクタ装置の製品寿命に影響を与えるのは、最短寿命光源部であって、最長寿命光源部ではない。このため、最長寿命光源部を優先的に使用することにより、複数の光源部の製品寿命のバランスを保ちながら、プロジェクタ装置の製品寿命を効率的に延ばすことができる。
【００２０】
なお、本発明は、このような特徴的な処理部を備えるプロジェクタ装置として実現することができるだけでなく、プロジェクタ装置に含まれる特徴的な処理部が実行する処理をステップとするプロジェクタ装置の制御方法として実現することができる。また、プロジェクタ装置に含まれる特徴的な処理部としてコンピュータを機能させるためのプログラム又はプロジェクタ装置の制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２１】
本発明によると、効率的に製品寿命を延ばすことのできるプロジェクタ装置を提供することができる。
【図面の簡単な説明】
【００２２】
【図１】本発明の実施の形態１に係るＨＵＤ装置の設置例を示す図である。
【図２】フロントガラスを通してユーザが見る風景の一例を示す図である。
【図３】ＨＵＤ装置のハードウェア構成を示すブロック図である。
【図４】メインＣＰＵ上でプログラムを実行した際にメインＣＰＵが実行する処理を機能的な構成として示すブロック図である。
【図５】色調、輝度、コントラスト及び解像度を調整するための設定画像の一例を示す図である。
【図６】プロジェクタ装置が実行する処理のフローチャートである。
【図７】最短寿命光源部と色調及び輝度との関係を示したテーブルの一例を示す図である。
【図８】輝度選択画像の一例を示す図である。
【図９】色調選択処理（図６のＳ５）の詳細なフローチャートである。
【図１０】第１色調選択画像の一例を示す図である。
【図１１】第２色調選択画像の一例を示す図である。
【発明を実施するための形態】
【００２３】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２４】
（実施の形態１）
以下、ヘッドアップディスプレイ（以下、ＨＵＤという）装置を例にとり、本発明のプロジェクタ装置について説明する。ＨＵＤ装置とは、自動車のフロントガラスに画像を投影することで、フロントガラスの先（車外）に虚像を映し出し、ユーザ（運転者）の視野中に画像を映し出すシステムのことである。本実施の形態では、ＨＵＤ装置の製品寿命を延ばすための処理を中心に説明する。
【００２５】
＜全体構成＞
図１は、本発明の実施の形態１に係るＨＵＤ装置の設置例を示す図である。図１に示すように、ＨＵＤ装置１は、プロジェクタ装置１０と、コンバイナ６０（透明表示板を構成する）とを備える。
【００２６】
プロジェクタ装置１０は、自動車５０などの輸送用機器に設置され、例えば、自動車５０のダッシュボードの上に設置される。コンバイナ６０は、自動車５０のフロントガラス２０の一部に設置された投影面である。プロジェクタ装置１０は、コンバイナ６０に光を照射することで、画像をコンバイナ６０に投影する。コンバイナ６０は、偏光素子、波長選択素子、ハーフミラーなどから構成されるため、車外の風景上に、プロジェクタ装置１０により投影された画像が重ね合わせて表示される。なお、フロントガラス２０自体がコンバイナ６０の機能を兼ね備えている場合もある。
【００２７】
図２は、フロントガラス２０を通してユーザが見る風景の一例を示す図である。上述の通り、フロントガラス２０上には、コンバイナ６０が設置されている。コンバイナ６０には、プロジェクタ装置１０から投影された画像が表示される。プロジェクタ装置１０は、図２に示すように、カーナビゲーションに関する情報（たとえば、目的地への経路情報）や自動車に関する情報（たとえば、燃費情報）などをコンバイナ６０に表示する機能を有している。例えば、プロジェクタ装置１０は、目的地までの経路情報６１（「大阪」、「神戸」及びそれぞれに対応する経路を示す「矢印」）や、目的地までの距離情報６２（「１．０ｋｍ」）を示す画像（コンテンツ画像の一例）をコンバイナ６０に表示する。図２に示すように、前方の風景中にプロジェクタ装置１０から投影された画像が表示されるため、ユーザは自動車５０の運転中に視線をそらすことなく、運転に役立つ情報を獲得することができる。
【００２８】
図３は、ＨＵＤ装置１のハードウェア構成を示すブロック図である。
【００２９】
プロジェクタ装置１０は、メインＣＰＵ１０１と、操作部１０２と、レーザ光源１０３〜１０５（複数の光源部を構成する）と、ビームスプリッタ１０６と、ビームスプリッタ１０７と、レンズ１０８と、ＭＥＭＳミラー１０９と、表示制御部１１０とを備える。
【００３０】
メインＣＰＵ１０１は、プロジェクタ装置１０の各部を制御する。例えば、メインＣＰＵ１０１は、プロジェクタ装置１０の製品寿命が延びるようにレーザ光源１０３〜１０５の光量を制御する。メインＣＰＵ１０１が実行する光量制御処理については、後に詳述する。
【００３１】
操作部１０２は、ＨＵＤ装置１（プロジェクタ装置１０）の電源を入れる操作、画像の投影角度を変更する操作及び画像の色調又は輝度を変更する操作などのユーザによる操作を受け付ける。操作部１０２は、例えば、ハードウェアボタンやソフトウェアボタンにより構成されても良いし、リモコンとリモコンから送信される電波を受信する受信機とから構成されていても良い。
【００３２】
レーザ光源１０３は、青色のレーザ光をビームスプリッタ１０６及びレンズ１０８を通過させてＭＥＭＳミラー１０９に照射するレーザダイオードである。
【００３３】
レーザ光源１０４及びレーザ光源１０５は、それぞれ、緑色のレーザ光及び赤色のレーザ光をビームスプリッタ１０７、ビームスプリッタ１０６及びレンズ１０８を通過させてＭＥＭＳミラー１０９に照射するレーザダイオードである。
【００３４】
レーザ光源１０３〜１０５は、プロジェクタ装置１０の製品寿命に大きく作用する。つまり、いずれかのレーザ光源が使用不能となった時点で、フルカラーの画像をコンバイナ６０に投影することができなくなる。このため、その時点でプロジェクタ装置１０の製品寿命が尽きたと判断される。
【００３５】
ＭＥＭＳミラー１０９は、図２に示すように、水平方向（Ｘ方向）及び垂直方向（Ｙ方向）の２軸に駆動してレーザ光を走査する。また、ＭＥＭＳミラー１０９は、水平方向を共振駆動により高速走査するとともに、垂直方向を直流駆動により低速走査する。ＭＥＭＳミラー１０９の駆動制御は後述する表示制御部１１０により行われる。
【００３６】
表示制御部１１０は、映像処理部１１１と、光源制御部１１２と、ＬＤ（レーザダイオード）ドライバ１１３と、ミラー制御部１１４と、ミラードライバ１１５とを含む。
【００３７】
映像処理部１１１は、外部から入力される映像信号に基づいて、画像をコンバイナ６０に投影するための制御を行う。具体的には、映像処理部１１１は、当該映像信号に基づいて、ミラー制御部１１４を介して、ＭＥＭＳミラー１０９の駆動を制御するとともに、光源制御部１１２を介して、レーザ光源１０３〜１０５によるレーザ光の照射を制御する。
【００３８】
光源制御部１１２は、映像処理部１１１による制御に基づいて、ＬＤドライバ１１３を制御して、レーザ光源１０３〜１０５によるレーザ光の照射を制御する。具体的には、光源制御部１１２は、ＭＥＭＳミラー１０９による画像の走査タイミングに合せて、画像の各画素に対応する色のレーザ光をレーザ光源１０３〜１０５から照射させるための制御を行う。
【００３９】
ＬＤドライバ１１３は、レーザ光源１０３〜１０５に駆動電流を供給することにより、レーザ光源１０３〜１０５の光量を調整する。
【００４０】
ミラー制御部１１４は、映像処理部１１１による制御に基づいて、ミラードライバ１１５を制御して、ＭＥＭＳミラー１０９の駆動を制御する。つまり、ミラー制御部１１４は、ＭＥＭＳミラー１０９の傾きを制御することにより、レーザ光源１０３〜１０５から照射されたレーザ光をコンバイナ６０上で走査する。これにより、ミラー制御部１１４は、コンバイナ６０に画像を投影する。つまり、コンバイナ６０に投影される経路情報６１及び距離情報６２などを示す画像は、画像形成用のレーザ光源１０３〜１０５によって形成されている。
【００４１】
ミラードライバ１１５は、ＭＥＭＳミラー１０９に駆動信号を供給することにより、ＭＥＭＳミラー１０９の傾きを変更する。
【００４２】
＜メインＣＰＵの構成＞
次に、本実施の形態の特徴的な処理であるメインＣＰＵ１０１の処理について説明する。図３に示したように、メインＣＰＵ１０１は、プログラム１０１ａに従い動作する。
【００４３】
図４は、メインＣＰＵ１０１上でプログラム１０１ａを実行した際にメインＣＰＵ１０１が実行する処理を機能的な構成として示すブロック図である。つまり、メインＣＰＵ１０１は、プログラム１０１ａを実行した際に、機能的に実現される処理部として、予測部１２１と、制御部１２２と、色調提示部１２３とを含む。
【００４４】
予測部１２１は、レーザ光源１０３〜１０５のうち、残り寿命が最短の光源部である最短寿命光源部を予測する。残り寿命の予測方法は限定されるものではない。例えば、予め各レーザ光源１０３〜１０５の標準的な耐用寿命が分かっている場合には、予測部１２１は、レーザ光源ごとに、耐用寿命からレーザ光源の累積使用時間を減算することにより、残り寿命を予測しても良い。例えば、レーザ光源１０３の耐用寿命が１００００時間であり、レーザ光源１０３の累積使用時間が７０００時間の場合には、予測部１２１は、レーザ光源１０３の残り寿命が３０００時間であると予測する。なお、レーザ光源１０３を使用しているか否かの情報はＬＤドライバ１１３から得ることができるため、予測部１２１は、その情報に基づいて各レーザ光源の累積使用時間を計算することができる。
【００４５】
制御部１２２は、レーザ光源１０３〜１０５が出力するレーザ光の光量を制御する。つまり、制御部１２２は、光源制御部１１２を介して、レーザ光源１０３〜１０５が出力するレーザ光の光量を制御することにより、コンバイナ６０に表示される画像の色調を変更したり、画像の輝度を変更したりする。具体的には、制御部１２２は、予測部１２１が予測した最短寿命光源部が出力する光の光量を、予め定められた通常状態の光量よりも少なくなるように制御する。好ましくは、制御部１２２は、最短寿命光源部が出力する光の光量が０になるように、最短寿命光源部が出力する光の光量を制御する。なお、予測部１２１は、最短寿命光源部の光量の制限を、プロジェクタ装置１０の設定のための画像である設定画像をコンバイナ６０に投影している間、行うようにしても良い。つまり、予測部１２１は、図５に示すような色調、輝度、コントラスト及び解像度を調整するための設定画像がコンバイナ６０に投影されている間に、最短寿命光源部の光量の制限するようにしても良い。
【００４６】
色調提示部１２３は、各々が最短寿命光源部の光量が他の光源の光量よりも少なくなる複数の色調をユーザに提示し、いずれかの色調をユーザに選択させる。制御部１２２は、選択した色調となるようにレーザ光源１０３〜１０５がそれぞれ出力する光の光量を制御する。これにより、最短寿命光源部の光量が制限される。
【００４７】
＜プロジェクタ装置１０の処理説明＞
以下、プロジェクタ装置１０が実行する処理について詳細に説明する。
【００４８】
図６は、プロジェクタ装置１０が実行する処理のフローチャートである。図６は、ユーザが、設定画像をコンバイナ６０に投影するための操作を、操作部１０２を用いて行った際に実行される。
【００４９】
操作部１０２が設定画像を投影するための操作を受け付けると、予測部１２１は、レーザ光源１０３〜１０５のそれぞれの残り寿命を予測し、残り寿命が最も短いレーザ光源である最短寿命光源部を予測する（Ｓ１）。以下の説明では、赤色のレーザ光を出力するレーザ光源１０５が最短寿命光源部であるとして説明を行う。
【００５０】
制御部１２２は、最短寿命光源部に対応した色調及び輝度で各レーザ光源を発光させる（Ｓ２）。つまり、制御部１２２は、図７に示すような最短寿命光源部と色調及び輝度との関係を示したテーブルを記憶しているものとする。例えば、最短寿命光源部が、赤色のレーザ光を出力するレーザ光源１０５である場合には、赤色（Ｒ）、緑色（Ｇ）、青色（Ｂ）の光量の比率が０：５：５となるように、制御部１２２は、レーザ光源１０３〜１０５を発光させる。また、制御部１２２は、画像の輝度が、１０１段階（レベル０〜レベル１００）の輝度のうちレベル８０の輝度となるようにレーザ光源１０３〜１０５を発光させる。このとき、上記の発光比率は維持される。
【００５１】
表示制御部１１０は、設定画像をコンバイナ６０に投影する（Ｓ３）。これにより、図５に示すような設定画像の各文字の色調（Ｒ：Ｇ：Ｂ）が０：５：５となり、各文字の輝度がレベル８０となる。
【００５２】
設定画像において、ユーザが色調を変更するための操作を行なった場合には（Ｓ４でＹＥＳ）、メインＣＰＵ１０１は、ユーザに色調を選択させる（Ｓ５）。色調選択処理（Ｓ５）の詳細については、後述する。
【００５３】
制御部１２２は、選択された色調となるように、レーザ光源１０３〜１０５を発光させる（Ｓ６）。これにより、設定画像の色調を変更する。
【００５４】
また、制御部１２２は、選択された色調を、最短寿命光源部（ここではレーザ光源１０５）に対応した色調として記憶する（Ｓ７）。例えば、ユーザが選択した色調（Ｒ：Ｇ：Ｂ）が１：５：５であれば、制御部１２２は、その値を、最短寿命光源部がレーザ光源１０５である場合の色調として、図７に示したテーブルに書き込む。以降、ユーザが選択した色調で設定画像が投影されることとなる。
【００５５】
設定画像において、ユーザが輝度を変更するための操作を行なった場合には（Ｓ８でＹＥＳ）、メインＣＰＵ１０１は、ユーザに輝度を選択させるための画像の投影指示を表示制御部１１０に対して行う。表示制御部１１０は、投影指示に応答して、図８に示すような輝度選択画像をコンバイナ６０に投影する。ユーザは、操作部１０２を操作することにより、輝度を選択する（Ｓ９）。
【００５６】
制御部１２２は、選択された輝度となるように、レーザ光源１０３〜１０５を発光させる（Ｓ１０）。これにより、設定画像の輝度を変更する。
【００５７】
また、制御部１２２は、選択された輝度を、最短寿命光源部（ここではレーザ光源１０５）に対応した輝度として記憶する（Ｓ１１）。例えば、ユーザが選択した輝度が「６０」であれば、制御部１２２は、その値を、最短寿命光源部がレーザ光源１０５である場合の輝度として、図７に示したテーブルに書き込む。以降、ユーザが選択した輝度で設定画像が投影されることとなる。
【００５８】
次に、色調選択処理（図６のＳ５）について詳細に説明する。図９は、色調選択処理（図６のＳ５）の詳細なフローチャートである。ここでは、最短寿命光源部が赤色のレーザ光を出力するレーザ光源１０５の場合について説明する。最短寿命光源部がレーザ光源１０３又はレーザ光源１０４の場合にも、同様の処理によりユーザに色調を選択させることができるため、その詳細な説明は繰り返さない。
【００５９】
色調提示部１２３は、表示制御部１１０に指示を送信し、ユーザに色調を選択させるための画像である第１色調選択画像をコンバイナ６０に投影させる（Ｓ２１）。図１０は、第１色調選択画像の一例を示す図である。第１色調選択画像において、色調１から色調１１までの１１種類の色調に対応した１１本のバー２０１が、それぞれのバー２０１に対応付けられた色調で表示される。色調１、色調２、色調３…、色調１１のそれぞれのＲ、Ｇ、Ｂの割合は、（０：０：１０）、（０：１：９）、（０：２：８）、…、（０：１０：０）のように定められている。つまり、Ｒの比率は常に０であり、ＧとＢの割合を変化させている。ユーザは、例えば、いずれかのバー２０１の上にカーソルを移動させ、ＯＫボタン２０２を押す操作を行なうことにより、カーソルが位置するバー２０１に対応付けられた色調を選択することができる。１１種類の色調の中にユーザが満足する色調がない場合には、ユーザはボタン２０３を押す操作を行なうことにより、他の色調を選択することができる。
【００６０】
ＯＫボタン２０２を押すことによりユーザが色調を選択した場合には（Ｓ２２でＹＥＳ）、色調選択処理（図６のＳ５）を終了する。
【００６１】
ボタン２０３を押すことによりユーザが色調を選択しなかった場合には（Ｓ２２でＮＯ）、色調提示部１２３は、表示制御部１１０に指示を送信し、ユーザに色調を選択させるための画像である第２色調選択画像をコンバイナ６０に投影させる（Ｓ２３）。図１１は、第２色調選択画像の一例を示す図である。第２色調選択画像において、色調１から色調７までの７種類の色調に対応した７本のバー２０４が、それぞれのバー２０４に対応付けられた色調で表示される。色調１、色調２、色調３、…、色調７のそれぞれのＲ、Ｇ、Ｂの割合は（１：２：８）、（１：３：７）、（１：４：６）、…、（１：８：２）のように定められている。つまり、Ｒの比率は常に１であり、ＧとＢの割合を変化させている。また、Ｒの比率は、Ｇの比率及びＢの比率よりも小さく定められている。ユーザは、例えば、いずれかのバー２０４の上にカーソルを移動させ、ＯＫボタン２０５を押す操作を行なうことにより、カーソルが位置するバー２０４に対応付けられた色調を選択することができる。７種類の色調の中にユーザが満足する色調がない場合には、ユーザはボタン２０６を押す操作を行なうことにより、第１色調選択画像に戻ることができる。
【００６２】
ＯＫボタン２０５を押すことによりユーザが色調を選択した場合には（Ｓ２４でＹＥＳ）、色調選択処理（図６のＳ５）を終了する。
【００６３】
ボタン２０６を押すことによりユーザが色調を選択しなかった場合には（Ｓ２４でＮＯ）、Ｓ２１以降の処理が繰り返し実行される。
【００６４】
＜効果＞
以上説明したように、本発明の実施の形態によると、レーザ光源が使用不能となる以前、又はレーザ光源の発光効率が低下する以前の早い段階から、最短寿命光源部が出力する光の光量を制限することができる。よって、プロジェクタ装置の製品寿命を効率的に延ばすことができる。
【００６５】
また、設定画像の投影時に最短寿命光源部が出力する光の光量を制限することで、コンテンツ画像の投影時には、最短寿命光源部が出力する光の光量を制限しないようにすることができる。よって、ユーザによるコンテンツ画像の視認性を低下させることなく、プロジェクタ装置の製品寿命を効率的に延ばすことができる。コンテンツ画像の視認性が低下しないことより、自動車の走行時の安全性を確保することができる。
【００６６】
また、ユーザが設定画像の色調を選択できるようにしている。このため、最短寿命光源部の光量を少なくしながら、ユーザが見易いと感じる色調で設定画像をコンバイナに投影することができる。
【００６７】
（実施の形態２）
実施の形態１では、コンテンツ画像の投影時には最短寿命光源部が出力する光の光量を制限せず、設定画像の投影時に最短寿命光源部が出力する光の光量を制限するようにした。本実施の形態では、コンテンツ画像の投影時においても最短寿命光源部が出力する光の光量を制限する点が実施の形態１と異なる。
【００６８】
実施の形態２に係るＨＵＤ装置の構成は、実施の形態１と同様である。このため、その詳細な説明は繰り返さない。以下では、実施の形態１と異なる部分についてのみ説明する。
【００６９】
図４に示す制御部１２２は、図２に示すような経路情報６１や、距離情報６２を示すコンテンツ画像を表示する際において、最短寿命光源部が出力する光の光量を、本来のコンテンツ画像の色調が示す光量よりも少なくなるように制御する。例えば、最短寿命光源部が赤色の光を出力するレーザ光源１０５であったとする。また、経路情報６１の像の本来の色調（Ｒ、Ｇ、Ｂの割合）が６：４：３であったとする。このとき、制御部１２２は、例えば、赤色の比率を１つ下げ、経路情報６１の像の色調が５：４：３になるように、レーザ光源１０３〜１０５が出力するレーザ光の光量を制御する。これにより、本来よりも若干青みがかったコンテンツ画像が、コンバイナ６０に投影される。
【００７０】
なお、コンテンツ画像の色調の変更を許可するか否かは、ユーザが設定することができる。つまり、ユーザは、操作部１０２を操作することにより、コンテンツ画像の色調の変更を許可するか否かを入力する。制御部１２２は、許可する入力があった場合にのみ、コンテンツ画像の表示時に色調を変更する。
【００７１】
なお、制御部１２２は、自動車５０が停止している場合には、ユーザ設定による色調変更の可否に係わらず、コンテンツ画像の色調を変更してもよい。なお、制御部１２２は、速度計が出力する速度が、０又は予め定められた速度未満となった場合に停止していると判断しても良い。
【００７２】
以上説明したように、本実施の形態によると、ユーザが色調の変更を許可した場合であれば、コンテンツ画像の投影時であっても最短寿命光源部が出力する光の光量を制限することができる。このため、プロジェクタ装置の製品寿命を効率的に延ばすことができる。
【００７３】
また、自動車の走行時には、ユーザは運転に集中しているため、コンテンツ画像を見易くする必要がある。しかし、自動車の停止時には、ユーザに精神的な余裕があるため、コンテンツ画像は多少見づらくても問題はない。このため、自動車の停止時に最短寿命光源部が出力する光の光量を制限することにより、自動車の走行時の安全性を確保しながら、プロジェクタ装置の製品寿命を効率的に延ばすことができる。
【００７４】
以上、本発明の実施の形態に係るＨＵＤ装置について説明したが、本発明は、この実施の形態に限定されるものではない。
【００７５】
例えば、上述の実施の形態では、最短寿命光源部の光量を制限したが、残り寿命が最長の光源部である最長寿命光源部を予測部１２１が予測し、制御部１２２は、設定画像の投影時に、最長寿命光源部が出力する光の光量を、予め定められた通常状態の光量よりも多くなるように制御してもよい。ここで、予め定められた通常状態の光量とは、例えば、図７に示すテーブルに示される色調及び輝度から特定される光量である。これによると、最長寿命光源部が優先的に使用される。プロジェクタ装置の製品寿命に影響を与えるのは、最短寿命光源部であって、最長寿命光源部ではない。このため、最長寿命光源部を優先的に使用することにより、複数の光源部の製品寿命のバランスを保ちながら、プロジェクタ装置の製品寿命を効率的に延ばすことができる。
【００７６】
また、最短寿命光源部の光量を制限するのは、設定画像投影時には限定されない。例えば、プロジェクタ装置１０の保守を行うための保守画面投影時にも最短寿命光源部の光量を制限するようにしても良い。
【００７７】
また、上記のプロジェクタ装置１０のうち、メインＣＰＵ１０１、映像処理部１１１、光源制御部１１２及びミラー制御部１１４は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、これらの処理部は、その機能を達成する。ここでコンピュータプログラムは、所定の機能を達成するために、コンピュータに対する指令を示す命令コードが複数個組み合わされて構成されたものである。
【００７８】
さらに、これらの処理部の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００７９】
さらにまた、これらの処理部の一部または全部は、プロジェクタ装置１０に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００８０】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【００８１】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【００８２】
また、本発明は、上記コンピュータプログラムまたは上記デジタル信号を、電気通信回線、無線または有線通信回線、インターネットを代表とするネットワーク、データ放送等を経由して伝送するものとしても良い。
【００８３】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【００８４】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【００８５】
さらに、上記実施の形態及び上記変形例をそれぞれ組み合わせるとしても良い。
【産業上の利用可能性】
【００８６】
本発明はプロジェクタ装置として、例えば、自動車に搭載されるヘッドアップディスプレイ装置などに適用できる。
【符号の説明】
【００８７】
１  ＨＵＤ装置
１０  プロジェクタ装置
２０  フロントガラス
６０  コンバイナ
６１  経路情報
６２  距離情報
１０１  メインＣＰＵ
１０１ａ  プログラム
１０２  操作部
１０３〜１０５  レーザ光源
１０６、１０７  ビームスプリッタ
１０８  レンズ
１０９  ＭＥＭＳミラー
１１０  表示制御部
１１１  映像処理部
１１２  光源制御部
１１３  ＬＤドライバ
１１４  ミラー制御部
１１５  ミラードライバ
１２１  予測部
１２２  制御部
１２３  色調提示部
２０１、２０４  バー
２０２、２０５  ＯＫボタン
２０３、２０６  ボタン
【図１】
2014197087.tif 000003
【図２】
2014197087.tif 000004
【図３】
2014197087.tif 000005
【図４】
2014197087.tif 000006
【図５】
2014197087.tif 000007
【図６】
2014197087.tif 000008
【図７】
2014197087.tif 000009
【図８】
2014197087.tif 000010
【図９】
2014197087.tif 000011
【図１０】
2014197087.tif 000012
【図１１】
2014197087.tif 000013